(57)【要約】      （修正有）【課題】釣り用リールのハンドルの１回転内でハンドルを回転させるべき速度をユーザに案内できるハンドル操作支援装置およびハンドル操作支援プログラムを提供する。【解決手段】魚釣用リールのハンドルの回転に応じた角速度を検出するように設けられるセンサ部の出力に基づいてハンドル角速度を測定するハンドル角速度測定部と、ハンドル角速度の基準角速度に対する誤差を算出する誤差算出部と、誤差に関する報知を行う報知部とを備えてハンドル操作支援装置を構成する。【選択図】図３
2020058248.tif 000002
【特許請求の範囲】
【請求項１】
魚釣用リールのハンドルの回転に応じた角速度を検出するように設けられるセンサ部の出力に基づいてハンドル角速度を測定するハンドル角速度測定部と、
前記ハンドル角速度の基準角速度に対する誤差を算出する誤差算出部と、
前記誤差に関する報知を行う報知部と
を備えるハンドル操作支援装置。
【請求項２】
過去の一定期間において測定されたハンドル角速度に基づいて前記基準角速度を算出する基準角速度算出部をさらに備える
請求項１に記載のハンドル操作支援装置。
【請求項３】
前記報知部は、報知音を出力させることにより前記誤差に関する報知を行う
請求項１または２に記載のハンドル操作支援装置。
【請求項４】
前記報知部は、前記誤差の変化に応じて、前記報知音を所定の態様により変化させる
請求項３に記載のハンドル操作支援装置。
【請求項５】
前記報知部は、前記誤差の変化に応じて、前記報知音の音高を変化させる
請求項４に記載のハンドル操作支援装置。
【請求項６】
前記報知部は、前記誤差が一定以上である場合に、前記誤差が一定未満の場合よりも大きな変化率により前記報知音の音高を変化させる
請求項５に記載のハンドル操作支援装置。
【請求項７】
前記報知部は、表示により前記誤差を報知する
請求項１から６のいずれか一項に記載のハンドル操作支援装置。
【請求項８】
ハンドル操作支援装置としてのコンピュータを、
魚釣用リールのハンドルの回転に応じた角速度を検出するように設けられるセンサ部の出力に基づいてハンドル角速度を測定するハンドル角速度測定部、
前記ハンドル角速度の基準角速度に対する誤差を算出する誤差算出部、
前記誤差に関する報知を行う報知部
として機能させるためのハンドル操作支援プログラム。
【発明の詳細な説明】
【技術分野】
【０００１】
本発明は、ハンドル操作支援装置及びハンドル操作支援プログラムに関する。
【背景技術】
【０００２】
ルアー等の被動体に対応する推奨リトリーブスピードとリールのハンドル１回転あたりの巻き取り長さに基づいて、１回転ごとに対応するリールの巻き取りリズムを算出し、算出された巻き取りリズムを報知するようにされた釣り用リズム発信器の技術が知られている（例えば、特許文献１参照）。
【先行技術文献】
【特許文献】
【０００３】
【特許文献１】特許第６２００７８７号公報
【発明の概要】
【発明が解決しようとする課題】
【０００４】
釣りの種類によっては、仕掛けの巻き取り速度（リトリーブ速度）を一定にするためにリールのハンドルを等速で回転させる操作を行うことが求められる場合がある。このようにリトリーブ速度を一定に保つためのハンドル操作については等速巻きとも呼ばれる。
等速巻きをできるだけ目標の速度で安定して行うには、リールのハンドルを回転させる操作において、ハンドルの１回転内においても速度が変化しないようにすることが求められる。
しかしながら、特許文献１に記載の技術によるリズム報知では、１回転ごとのタイミングしか示されないことから、ユーザが１回転内のリトリーブ速度を一定とするように操作するための案内を行うことはできない。
【０００５】
本発明は、このような事情に鑑みてなされたもので、釣り用リールのハンドルの１回転内でハンドルを回転させるべき速度をユーザに案内できるようにすることを目的とする。
【課題を解決するための手段】
【０００６】
上述した課題を解決するための本発明の一態様は、魚釣用リールのハンドルの回転に応じた角速度を検出するように設けられるセンサ部の出力に基づいてハンドル角速度を測定するハンドル角速度測定部と、前記ハンドル角速度の基準角速度に対する誤差を算出する誤差算出部と、前記誤差に関する報知を行う報知部とを備えるハンドル操作支援装置である。
上記構成によれば、ハンドルの回転に応じて測定されたハンドル角速度の基準角速度に対する誤差を、ハンドルの回転ムラとしてユーザに対して報知することができる。ここで、ハンドル角速度は、ハンドルが回転される際の１回転内における速度変化も示すものとして得られる。これにより、本願発明は、ハンドルを一定の速度で回転させる「等速巻き」をユーザが良好に行えるように支援するにあたり、ハンドルの１回転内での回転ムラまでもユーザに報知することが可能になる。つまり、ユーザは等速巻きを行う際に、１回転内での回転ムラまでも矯正するようにしてハンドル操作を行うことができる。
【０００７】
また、本発明の一態様は、上記のハンドル操作支援装置であって、過去の一定期間において測定されたハンドル角速度に基づいて前記基準角速度を算出する基準角速度算出部をさらに備える。
上記構成によれば、実釣時においてユーザがハンドルを回転させる速さに応じて基準角速度を設定することができる。これにより、実釣時に対応して適切な基準角速度を簡単に設定することができる。
【０００８】
また、本発明の一態様は、上記のハンドル操作支援装置であって、前記報知部は、報知音を出力させることにより前記誤差に関する報知を行う。
上記構成によれば、ハンドル角速度の基準角速度に対する誤差を音によりユーザに報知することができる。この場合、ユーザは、視覚に頼って誤差を確認する必要が無く、報知音を聞きながら誤差を確認することができる。これにより、ユーザは、釣りに集中しながら、等速巻きのためのハンドル操作の速度調整を行うことができる。
【０００９】
また、本発明の一態様は、上記のハンドル操作支援装置であって、前記報知部は、前記誤差の変化に応じて、前記報知音を所定の態様により変化させる。
上記構成によれば、誤差の変化に応じて報知音が何らかの態様で変化する。これにより、ユーザは、報知音の変化により誤差を感覚的に把握することができる。この場合、ユーザは、等速巻きを行うにあたり、例えば報知音の変化の度合いが少なくなるようにハンドル操作を行えばよい。
【００１０】
また、本発明の一態様は、上記のハンドル操作支援装置であって、前記報知部は、前記誤差の変化に応じて、前記報知音の音高を変化させる。
上記構成によれば、誤差の変化に応じて報知音の音高が変化する。これにより、ユーザは、報知音の音高変化により誤差を感覚的に把握することができる。この場合、ユーザは、等速巻きを行うにあたり、報知音の音高が基準角速度に対応して一定となるようにハンドル操作を行えばよい。
【００１１】
また、本発明の一態様は、上記のハンドル操作支援装置であって、前記報知部は、前記誤差が一定以上である場合に、前記誤差が一定未満の場合よりも大きな変化率により前記報知音の音高を変化させる。
上記構成によれば、誤差が一定以上の場合には報知音の音高の変化が大きくなる。これにより、ユーザは、誤差が一定以上になったことを明確に把握できることになり、すぐに誤差を少なくするようにハンドル操作を行うことができる。
【００１２】
また、本発明の一態様は、上記のハンドル操作支援装置であって、前記報知部は、表示により前記誤差を報知する。
上記構成によれば、誤差について視覚的に分かりやすく報知することが可能になる。
【００１３】
また、本発明の一態様は、ハンドル操作支援装置としてのコンピュータを、魚釣用リールのハンドルの回転に応じた角速度を検出するように設けられるセンサ部の出力に基づいてハンドル角速度を測定するハンドル角速度測定部、前記ハンドル角速度の基準角速度に対する誤差を算出する誤差算出部、前記誤差に関する報知を行う報知部として機能させるためのハンドル操作支援プログラムである。
【発明の効果】
【００１４】
以上説明したように、本発明によれば、釣り用リールのハンドルの１回転内においてハンドルを回転させるべき速度をユーザに案内できるようになるという効果が得られる。
【図面の簡単な説明】
【００１５】
【図１】本実施形態のハンドル操作支援システムの構成例を示す図である。
【図２】本実施形態のハンドル操作支援システムの機能構成例を示す図である。
【図３】本実施形態において、ハンドル角速度の誤差に関する報知を音により行う場合の態様例を示す図である。
【図４】本実施形態におけるハンドル操作ガイド表示の態様例を示す図である。
【図５】本実施形態におけるハンドル操作ガイド表示の態様例を示す図である。
【図６】本実施形態のユーザ端末２００が実行する処理手順例を示すフローチャートである。
【発明を実施するための形態】
【００１６】
図１を参照して、本実施形態のハンドル操作支援システムの構成例について説明する。同図のハンドル操作支援システムは、スピニングリール１００と、ユーザ端末２００（ハンドル操作支援装置の一例）とを備える。
スピニングリール１００は、魚釣用リールの一種であり、ユーザが釣りをする際に竿Ｒに装着して使用する。同図では、図示は省略しているが、スピニングリール１００は、竿Ｒに設けられたリール取付台座（リールシート）に対して取り付けられることで、竿Ｒへの装着が行われる。
ユーザ端末２００は、ユーザが携帯する端末装置である。ユーザ端末２００は、例えばスマートフォン等であってよい。ユーザ端末２００がスマートフォン等の端末である場合、ユーザ端末２００には、ハンドル操作支援に対応するアプリケーション（ハンドル操作支援アプリケーション）がインストールされる。なお、ユーザ端末２００は、例えば本実施形態のハンドル操作支援機能に特化された専用の端末であってもよい。
【００１７】
本実施形態のスピニングリール１００には、センサユニット１１０が設けられる。センサユニット１１０は、ハンドル１０１の回転に応じた角速度を検出するように設けられる。同図の例では、センサユニット１１０は、ハンドルスクリューキャップに対応する箇所にて設けられている。
センサユニット１１０は、角速度センサを備えて構成されてよい。この場合、センサユニット１１０の角速度センサは、例えばハンドル１０１の回転に応じて回転するギア、軸等の所定の部品に対して直接的に取り付けられる、もしくは所定の部品の回転に連動して動くように設けられてよい。これにより、角速度センサは、ハンドル１０１の回転に応じた角速度を検出することができる。
あるいは、センサユニット１１０は、例えば磁気方式等によるロータリエンコーダを備えてよい。この場合の、センサユニット１１０のロータリエンコーダは、ハンドル１０１の回転に応じて回転するギア、軸等の所定の部品に対して設けられる磁石と、部品の回転に応じた磁石の磁界の変化を検出する磁気センサとを備えて構成されてよい。この場合、角速度は、ロータリエンコーダが検出する角度の経過に応じた変化として算出されてよい。また、このようなロータリエンコーダが検出する角度に基づく角速度の算出は、センサユニット１１０にて行われてもよいし、ロータリエンコーダが検出する角度に基づいてユーザ端末２００が実行してもよい。
【００１８】
センサユニット１１０は、ユーザ端末２００と通信が可能なように接続される。同図では、センサユニット１１０とユーザ端末２００とで無線による通信が可能とされている。センサユニット１１０は、無線による通信を介して、センサ部１１１が出力する角速度検出信号をユーザ端末２００に送信する。
なお、センサユニット１１０とユーザ端末２００との通信は有線を経由して行われてもよい。以降の説明においては、センサユニット１１０とユーザ端末２００とが無線により通信を行う場合について説明する。
【００１９】
ユーザ端末２００は、センサユニット１１０から送信される角速度検出信号を受信し、受信された角速度検出信号に基づいて、ハンドル１０１の角速度（ハンドル角速度）を測定する。ハンドル１０１の角速度は、ハンドル１０１の回転に伴う動きがありさえすればセンサユニット１１０にて検出されるものである。従って、ハンドル１０１の１回転内における角速度の変化も検出することができる。これに伴い、ユーザ端末２００にて測定されるハンドル角速度も、ハンドル１０１の１回転内における角速度の変化が反映されている。
【００２０】
ユーザ端末２００は、基準角速度に対するハンドル角速度の誤差を算出し、算出された誤差に関する報知を行う。ユーザ端末２００は、誤差に関する報知を、音と表示とにより行うことができる。つまり、ユーザ端末２００は、誤差に応じて音高を変化させるようにして報知を行うことができる。また、ユーザ端末２００は、誤差に基づく情報を所定の態様で表示するようにして報知することができる。
このような報知は、ユーザの等速巻きを支援するためのガイドとして機能する。つまり、ユーザは、釣糸を巻き取る際に、音や表示により報知される誤差の程度を確認しながら、角速度の誤差が少なくなるようにハンドル１０１を回転させる操作を行う。この結果、ハンドル１０１の回転に伴って回転するスプール１０２も一定の回転速度（回転数）に近づくことになり、目標とする巻き取り速度による等速巻きを行えることになる。
そのうえで、ハンドル角速度の誤差には、ハンドル１０１の１回転内の角速度の変動が反映されている。従って、ハンドル角速度の誤差の程度の報知も、ハンドル１０１の１回転内の角速度の変動に追随するようにして行われる。つまり、本実施形態によっては、ハンドル１０１の１回転内においてハンドルを回転させるべき速度をユーザに案内できる。
これにより、ユーザは、報知される誤差の程度を確認しながらハンドル１０１を回転させる速さを調節する結果、ハンドル１０１の１回転内の角速度の変動を抑えて一定に近づけるようにして、等速巻きを良好に行えることになる。
【００２１】
なお、センサユニット１１０は、スピニングリール１００において、ハンドルの回転に応じて角速度が検出される箇所であれば、どこに設けられてもよい。例えば、センサユニット１１０は、ハンドル１０１自体やスプール１０２等に設けられてもよい。
【００２２】
図２を参照して、本実施形態のハンドル操作支援システムの機能構成例について説明する。同図においては、センサユニット１１０とユーザ端末２００との機能構成例が示されている。
センサユニット１１０は、センサ部１１１と通信部１１２とを備える。
センサ部１１１は、前述のように、例えば所定のセンサデバイスを備え、ハンドル１０１の回転に伴う所定の部品の動きに応じた角速度を検出するように設けられる。
通信部１１２は、ユーザ端末２００と無線による通信を行う。通信部１１２が対応する無線通信の方式については特に限定されないが、例えば、Ｂｌｕｅｔｏｏｔｈ（登録商標）等を挙げることができる。通信部１１２は、センサ部１１１が出力する角速度検出信号をユーザ端末２００に送信する。
【００２３】
ユーザ端末２００は、通信部２０１、制御部２０２、記憶部２０３、操作部２０４、表示部２０５、及び音出力部２０６を備える。
通信部２０１は、センサユニット１１０の通信部１１２と無線による通信を行う。
【００２４】
制御部２０２は、ユーザ端末２００における各種制御を実行する。制御部２０２としての機能は、ユーザ端末２００が備えるＣＰＵ（Central Processing Unit）がプログラムを実行することによって実現される。
同図の制御部２０２は、ハンドル角速度測定部２２１、基準角速度算出部２２２、誤差算出部２２３、及び報知部２２４を備える。制御部２０２におけるこれらの機能部は、ユーザ端末２００が例えばスマートフォンである場合には、スマートフォンにインストールされたハンドル操作支援アプリケーションが動作することにより実現される。
【００２５】
ハンドル角速度測定部２２１は、ハンドル１０１の回転に応じた角速度を検出するように設けられるセンサユニット１１０のセンサ部１１１の出力（角速度検出信号）に基づいてハンドル角速度を測定する。ハンドル角速度測定部２２１は、角速度検出信号が示す角速度を、そのままハンドル角速度の測定結果としてもよい。あるいは、ハンドル角速度測定部２２１は、角速度検出信号が示す角速度について、例えばハンドル１０１の回転速度と、センサ部１１１が設けられた部品の回転速度との比に基づく演算を行って求められた値を、ハンドル角速度の測定結果としてもよい。
基準角速度算出部２２２は、過去の一定期間において測定されたハンドル角速度に基づいて基準角速度を算出する。
誤差算出部２２３は、ハンドル角速度の基準角速度に対する誤差を算出する。
報知部２２４は、誤差に関する報知を行う。
【００２６】
記憶部２０３は、ユーザ端末２００に対応する各種の情報を記憶する。
操作部２０４は、ユーザ端末２００に設けられる操作子や操作デバイスを一括して示す。表示部２０５がタッチパネルとして構成される場合、操作部２０４には、タッチパネルが含まれる。
表示部２０５は、制御部２０２の制御に応じて表示を行う。
音出力部２０６は、制御部２０２の制御に応じて音を出力する。
【００２７】
図３を参照して、本実施形態において、ハンドル角速度の誤差に関する報知を音により行う場合の態様例について説明する。
同図においては、時間経過に応じた、ハンドル角速度Ａｇ、基準角速度Ａｒｅｆ、報知音の音高Ｆｖａｒが示されている。
【００２８】
ハンドル角速度Ａｇは、ハンドル角速度測定部２２１により測定されたハンドル角速度を示す。同図において示される期間は、少なくともハンドル１０１が１回転される期間を１つ含む。つまり、同図において示されるハンドル角速度Ａｇは、ハンドル１０１の１回転内の変動が反映されている。
また、基準角速度Ａｒｅｆは、基準角速度算出部２２２により算出された基準角速度を示す。この場合の基準角速度算出部２２２は、例えば、現時点を起点とする過去の一定期間において算出されたハンドル角速度の平均値（移動平均値）を求めることにより、基準角速度Ａｒｅｆを算出する。
【００２９】
基準角速度については、例えば、予め固定的に定められていてもよい。そのうえで、基準角速度については、例えば対象魚や仕掛け（ここではルアー等も含める）の種類等に応じて予め用意（プリセット）された複数のうちから選択できるようにしてもよい。
一方で、同図の例のように基準角速度Ａｒｅｆを算出する場合には、ユーザが、対象魚や仕掛けの種類等に応じた等速巻きの速さをイメージしながらハンドル１０１を実際に回転させることに応じて基準角速度Ａｒｅｆが得られる。この場合、ユーザは、例えばプリセットされた複数の基準角速度のうちから、現在の釣りの状況にあったものを選択するような操作を行わなくとも、自分が目標とする等速巻きの速度でハンドル１０１を回転させる操作を行うことで、実用性のある基準角速度を手軽に得られるという利点がある。
【００３０】
誤差算出部２２３は、基準角速度Ａｒｅｆに対するハンドル角速度Ａｇの誤差Ｅｒを算出する。誤差Ｅｒは、例えば、ハンドル角速度Ａｇから基準角速度Ａｒｅｆを減算することによって算出される。この場合、誤差Ｅｒは、ハンドル角速度Ａｇが基準角速度Ａｒｅｆより低い場合には負の値となり、ハンドル角速度Ａｇが基準角速度Ａｒｅｆより高い場合には正の値となる。
【００３１】
報知部２２４は、誤差Ｅｒに応じて報知音の音高Ｆｖａｒを変化させる。
具体的に、報知部２２４は、誤差Ｅｒの絶対値が、予め定められた第１閾値以下の場合には、報知音の音高Ｆｖａｒを、標準音高Ｆｒｅｆにより出力させる。
同図の例では、期間ｔ１〜ｔ２、ｔ３〜ｔ４、ｔ５〜ｔ６、ｔ７〜ｔ８の各期間が、誤差Ｅｒの絶対値が第１閾値以下の状態に該当する。このため、期間ｔ１〜ｔ２、ｔ３〜ｔ４、ｔ５〜ｔ６、ｔ７〜ｔ８のそれぞれにおいては、報知音の音高Ｆｖａｒが、標準音高Ｆｒｅｆとなっている。
【００３２】
また、報知部２２４は、誤差Ｅｒの絶対値が、第１閾値より大きく、かつ予め定められた第２閾値未満（第１閾値＜第２閾値）である場合には、ハンドル角速度Ａｇの基準角速度Ａｒｅｆに対する変化率（角速度変化率）としての誤差量に追随させるようにして報知音の音高Ｆｖａｒを変化させる。具体的には、例えば、報知部２２４は、角速度変化率に対して所定の係数を乗算して求められる音高変化率（第１音高変化率）により報知音の音高Ｆｖａｒを変化させてよい。
同図の例では、時点ｔ１までの期間、期間ｔ２〜ｔ３、期間ｔ４〜ｔ５の各期間が、誤差Ｅｒの絶対値が第１閾値より大きく、かつ第２閾値未満である場合に該当する。
これらの期間のうち、時点ｔ１までの期間と、期間ｔ２〜ｔ３との各期間では、誤差Ｅｒが負の値となるので、報知音の音高Ｆｖａｒは、負の値の第１音高変化率により、標準音高Ｆｒｅｆよりも低い音に変化するようにして出力される。一方、期間ｔ４〜ｔ５の期間では、誤差Ｅｒが正の値となるので、報知音の音高Ｆｖａｒは、正の値の第１音高変化率により、標準音高Ｆｒｅｆよりも高い音に変化するようにして出力される。
【００３３】
また、報知部２２４は、誤差Ｅｒの絶対値が第２閾値以上である場合には、第１音高変化率よりも大きな音高変化率（第２音高変化率）により報知音の音高Ｆｖａｒを変化させる。具体的に、この場合の報知部２２４は、誤差Ｅｒの絶対値が第２閾値以上である場合には、報知音の音高Ｆｖａｒを、所定の限度音高にまで変化させるようにしている。即ち、この場合の第２音高変化率は、ハンドル角速度Ａｇの基準角速度Ａｒｅｆに対する変化率に対して、限度音高に対応する所定値で一律となるように定められている。
同図の例では、期間ｔ６〜ｔ７が、誤差Ｅｒの絶対値が第２閾値以上である場合に該当する。期間ｔ６〜ｔ７においては、正の値の誤差Ｅｒが第２閾値以上となったことに応じて、報知音の音高Ｆｖａｒが、標準音高Ｆｒｅｆよりも高い側の最高限度音高Ｆｍａｘにより出力されている。
また、同図には示されていないが、報知部２２４は、負の値の誤差Ｅｒが第２閾値以上となった場合に、報知音の音高Ｆｖａｒを、標準音高Ｆｒｅｆよりも低い側の所定の最低限度音高により出力する。
【００３４】
ユーザは、釣りを行う際には、ユーザ端末２００から出力される報知音を聴けるようにしておく。この場合、ユーザは、ユーザ端末２００のスピーカから出力される報知音を聴き取ることができる範囲にユーザ端末２００を置いておくようにしてもよいし、ユーザ端末２００にイヤホン等を接続して、イヤホン等により報知音を聴き取ることができるようにしてもよい。
この場合、ユーザは、仕掛けを投入した後に等速巻きすべきことを意識してリールのハンドル１０１を回しながら仕掛けの巻き取り（リトリーブ）を行っていく際に、ハンドル１０１の回転速度のムラに応じて音高が変化する報知音を聴くことになる。そこで、ユーザは、報知音の音高が標準音高Ｆｒｅｆより高ければハンドル１０１の回転を低くするようにし、報知音の音高が標準音高Ｆｒｅｆより低ければハンドル１０１の回転を高くするようにして、ハンドル１０１を回転させる速度を調節することができる。これにより、ユーザは、等速巻きのためのハンドル１０１の回転速度の調整を、自分の勘だけを頼りに行うのではなく、報知音の高低を確認しながら的確に行っていくことができる。
また、本実施形態における誤差Ｅｒは、ハンドル１０１の１回転内における回転速度のムラも反映される。このため、ユーザは、ハンドル１０１の１回転内における回転速度のムラまでも矯正するようにしてハンドル１０１の操作を調整できる。
【００３５】
また、ユーザ端末２００は、ハンドル角速度の誤差に関連する報知を表示によっても行うことができる。ハンドル角速度の誤差に関連する報知は、即ち、ユーザに対して、ハンドル１０１の回転数が一定となるように操作するためのガイド（案内）を提供するものとなる。そこで、ハンドル角速度の誤差に関連する報知としての表示については、ハンドル操作ガイド表示ともいう。
図４は、ハンドル操作ガイド表示の態様例を示している。同図においては、ユーザ端末２００の表示部２０５の画面において、ハンドル回転速度表示エリアＡＲ１０と、角速度表示エリアＡＲ２０とが配置されている。
ハンドル回転速度表示エリアＡＲ１０は、ハンドル回転数をメータ表示により示している。ハンドル回転数（即ち、ハンドル１０１の回転速度）は、ハンドル角速度測定部２２１により測定されたハンドル角速度に基づいて制御部２０２が算出してよい。ユーザが操作するハンドル１０１の回転速度のムラに応じて、ハンドル回転速度表示エリアＡＲ１０のメータ表示における針が示す速度値が変化する。
また、ハンドル回転速度表示エリアＡＲ１０においては、基準速度エリアＡＲ１１が配置される。基準速度エリアＡＲ１１においては、基準角速度に対応する基準の回転数等の基準速度が示される。同図においては、基準回転数（「８０ｒｐｍ」）が示されている。この場合、ユーザは、基準速度エリアＡＲ１１を観ることで、基準回転数が「８０ｒｐｍ」であることを把握できる。そこで、ユーザは、ハンドル回転速度表示エリアＡＲ１０のメータ表示における針が「８０ｒｐｍ」を指すようにハンドル１０１を回転させる速度を調節するようにして操作を行えばよい。
ハンドル回転速度表示エリアＡＲ１０における表示の態様については限定されない。例えば、ハンドル回転速度表示エリアＡＲ１０においては、ハンドル回転数を示す数値がハンドル角速度の測定値に応じて変化するように表示されてもよい。
【００３６】
また、同図の基準速度エリアＡＲ１１においては、基準回転数に対応する基準巻き取り速度（「１４０ｃｍ／ｓ」）も示されている。巻き取り速度は、スプール１０２により道糸が巻き取られる速度である。基準巻き取り速度は、基準角速度算出部２２２が算出する基準角速度に対応する巻き取り速度である。巻き取り速度は、ハンドル回転数と、ハンドル１０１とローターとの回転比、スプール１０２の糸巻径等に基づいて算出することができる。
【００３７】
角速度表示エリアＡＲ２０においては、例えばハンドル角速度測定部２２１により測定されたハンドル角速度と、基準角速度算出部２２２により算出された基準角速度との時間軸上での変化が示される。
【００３８】
なお、図示は省略するが、例えばハンドル回転速度表示エリアＡＲ１０と角速度表示エリアＡＲ２０に加えて、あるいはハンドル回転速度表示エリアＡＲ１０と角速度表示エリアＡＲ２０との少なくともいずれか一方に代えて、巻き取り速度表示エリアが配置されてよい。
巻き取り速度表示エリアにおいては、現在のハンドル角速度に応じた巻き取り速度が、例えばメータ表示や数値により示されてよい。また、巻き取り速度表示エリアにおいては、基準巻き取り速度が示されてよい。
【００３９】
また、ハンドル操作ガイド表示は、図５のように行われてもよい。同図においては、ハンドル角速度誤差表示エリアＡＲ３０が示されている。ハンドル角速度誤差表示エリアＡＲ３０においては、ハンドル角速度の誤差がメータ表示により行われている。ユーザは、等速巻きを行うにあたり、メータの針が「０」を指すようにハンドル１０１の回転速度を調節するようにして操作を行えばよい。
【００４０】
図６のフローチャートを参照して、本実施形態のユーザ端末２００が実行する処理手順例について説明する。
ステップＳ１０１：ユーザ端末２００において、ハンドル角速度測定部２２１は、センサユニット１１０から受信した角速度検出信号を利用してハンドル角速度を算出する。
ステップＳ１０２：基準角速度算出部２２２は、例えば現時点から過去の一定期間において算出されたハンドル角速度の移動平均を求めることにより、基準角速度を算出する。
ステップＳ１０３：誤差算出部２２３は、ステップＳ１０１により算出されたハンドル角速度と、ステップＳ１０２により算出された基準角速度とを利用して、ハンドル角速度の誤差を算出する。
【００４１】
ステップＳ１０４：報知部２２４は、ステップＳ１０３により算出されたハンドル角速度の誤差が反映されたハンドル操作ガイド表示が表示部２０５にて行われるように制御する。
【００４２】
ステップＳ１０５：また、報知部２２４は、角速度変化率（ハンドル角速度の基準角速度に対する変化率）が第１閾値以下であるか否かについて判定する。
ステップＳ１０６：角速度変化率が第１閾値以下である場合、報知部２２４は、報知音を標準音高Ｆｒｅｆにより音出力部２０６から出力させる。
【００４３】
ステップＳ１０７：ステップＳ１０５にて角速度変化率が第１閾値より大きいと判定された場合、報知部２２４は、さらに角速度変化率が、第２閾値以上であるか否かについて判定する。
ステップＳ１０８：角速度変化率が第２閾値未満である場合、報知部２２４は、第１音高変化率により変化させた音高により報知音を出力させる。
ステップＳ１０９：ステップＳ１０７にて角速度変化率が第２閾値以上であると判定された場合、報知部２２４は、第１音高変化率により変化させた音高により報知音を出力させる。
ステップＳ１０６、Ｓ１０８、Ｓ１０９の処理の後は、ステップＳ１０１に処理が戻される。
【００４４】
以上のようにして、同図の処理が実行されることで、ユーザがスピニングリール１００のハンドル１０１を回転させる操作を行っていくことに応じて、ハンドル角速度の誤差に関する報知が音と表示とによって行われる。
【００４５】
なお、図６の例では、ハンドル角速度の誤差に関する報知は、音と表示とのいずれによっても行われている。しかしながら、基準角速度に対するハンドル角速度の誤差に関する報知は、音と表示とのいずれか一方により行われるようにされてもよい。また、例えばユーザのユーザ端末２００に対する操作等に応じて、音による報知と表示による報知とのそれぞれについてのオン、オフの切り替えが可能なようにされてよい。操作に応じた音による報知と表示による報知とのそれぞれについてのオン、オフの切り替えの制御は、報知部２２４が行うようにされてよい。
【００４６】
なお、報知部２２４は、ハンドル角速度の誤差に関する報知を音により行うにあたり、ハンドル角速度の誤差に応じて音量を変更してもよい。例えば誤差が大きくなることに応じて、報知音を大きくしていくようにされてよい。また、報知部２２４は、音による報知にあたり、ハンドル角速度の誤差に応じて音色や音の種類を変更してもよい。また、報知部２２４は、音高、音量、音色、音の種類等のうちから適宜選択されたものを組み合わせて音による報知を行ってもよい。
例えば、報知部２２４は、図３にて例示したように角速度変化率に応じて、報知音の音高Ｆｖａｒを標準音高Ｆｒｅｆから高い方あるいは低い方に変化させるにあたり、音高Ｆｖａｒが標準音高Ｆｒｅｆであるとき、標準音高Ｆｒｅｆではないときとで音色（あるいは音の種類）を変更してもよい。これにより、ユーザは音高Ｆｖａｒが標準音高Ｆｒｅｆであるときと標準音高Ｆｒｅｆではないときとを明確に区別できる。そのうえで、報知部２２４は、さらに、報知音について、音高Ｆｖａｒが標準音高Ｆｒｅｆより高いときと低いときとで音色を異ならせてもよい。
また、例えば、報知部２２４は、誤差が第２閾値以上となったことに応じて第２音高変化率により報知音の音高Ｆｖａｒを変化させる際に、誤差が第２閾値未満の場合よりも報知音の音量を大きくするようにしてもよい。
【００４７】
なお、報知部２２４は、表示によるハンドル角速度の誤差に関する報知として、例えばユーザ端末２００にＬＥＤ等によるインジケータを備え、ハンドル角速度の誤差に応じて、インジケータの点灯を変更させるようにしてもよい。例えば、報知部２２４は、インジケータについて、誤差が第１閾値以下の状態では白色、ハンドル角速度が基準角速度より遅くなるのに応じて青色が強くなるように、ハンドル角速度が基準角速度より速くなるのに応じて赤色が強くなるように、インジケータの色を変更させてよい。そのうえで、報知部２２４は、ハンドル角速度の基準角速度に対する誤差が第２閾値以上となった場合には、インジケータを点滅させる、というようにしてもよい。
また、報知部２２４は、上記のようなインジケータの点灯を模した表示を表示部２０５にて行うようにしてよい。
【００４８】
なお、第１閾値と第２閾値は、予め固定的に定められるのではなく、基準角速度と同様に、測定されたハンドル角速度に基づいて動的に設定されるようにしてよい。このような第１閾値と第２閾値の設定は、報知部２２４が行ってよい。
一例として、測定されたハンドル角速度が小さい場合には、等速巻きとしてハンドル１０１を遅めに回転させていることになる。この場合、ユーザがハンドル１０１を回転させる速度の調整もしやすい。また、ハンドル１０１の操作に微妙な速度調整が要求されるといえる。一方、測定されたハンドル角速度が大きい場合には、等速巻きとしてハンドル１０１を速めに回転させていることになる。この場合、ユーザがハンドル１０１を回転させる速度にはムラが生じやすくなる傾向となるが、目標とする等速巻きとしての巻き取り速度が速いことから、ある程度のムラがあっても、実釣においては等速巻きとして成立しやすいという側面がある。そこで、報知部２２４は、第１閾値と第２閾値について、測定されたハンドル角速度（ハンドル角速度を基に算出された基準角速度でもよい）が大きくなるのにつれて、高くなるようにして設定してよい。
なお、第１閾値と第２閾値のうち、一方は固定的に予め定めておき、他方を、測定されたハンドル角速度に基づいて動的に設定するようにされてよい。
【００４９】
なお、例えば仕掛けの回収のためにハンドル１０１を回転させる操作を行っているときには、ユーザは等速巻きを意識していないので、ハンドル角速度の基準角速度に対する誤差も大きくなり、報知による音等の変化が極端となりやすい。しかしながら、仕掛けの回収の際には、ユーザは等速巻きを行う必要がないので、報知が行われることに煩わしさを覚える可能性がある。
そこで、報知部２２４は、仕掛けの回収のためにハンドル１０１を回転させる操作が行われる状況では、ハンドル角速度の誤差に関する報知が行われないようにしてよい。このために、報知部２２４は、ハンドル１０１の回転数（回転速度）が一定以上である場合に、ハンドル角速度の誤差に関する報知が行われないように制御してよい。等速巻きは、比較的ゆっくりとハンドル１０１を回転させる操作が要求されることが多いのに対して、仕掛けの回収に際しては、等速巻きよりも相当に速めにハンドル１０１を回転させる操作となることが多い。
【００５０】
なお、本実施形態のようにハンドル角速度の誤差に応じた報知を行うハンドル操作支援システムの構成は、スピニングリール１００以外の釣り用リールとユーザ端末２００との組み合わせに対して適用されてよい。スピニングリール１００以外の釣り用リールとしては、例えば、ベイトリール、電動リール等を挙げることができる。電動リールに関しては、手動で等速巻きするような釣り方を行う場合に、本実施形態のハンドル操作支援システムの構成を適用できる。また、電動リールに関しては、電動により等速巻きを行うにあたり、釣糸を巻き取らせる際に駆動されるモータの回転速度について、誤差が最小となるように制御するようにしてもよい。
【００５１】
なお、本実施形態において、測定されたハンドル角速度の誤差に関する履歴が記憶されるようにしてよい。一例として、ユーザ端末２００の制御部２０２が、測定されたハンドル角速度の基準角速度に対する誤差を時刻と対応付けた履歴情報を記憶部２０３に記憶させるようにしてよい。あるいは、測定されたハンドル角速度と、算出された基準角速度と、算出された誤差とを、時刻と対応付けた履歴情報を記憶部２０３に記憶させるようにしてよい。
さらに、このような履歴情報に、例えば、魚を釣ることができた時刻やアタリが得られた時刻（釣果関連時刻）を対応付けるようにされてもよい。釣果関連時刻の対応付けは、例えばユーザがユーザ端末２００に入力する操作を行うことに応じて行われるようにされてもよい。また、例えばアタリが得られたことに応じてスピニングリール１００や釣竿に伝達される振動を検出する振動センサを設け、振動センサの検出信号がユーザ端末２００に入力されるように構成する。そのうえで、ユーザ端末２００は、振動センサによりアタリに対応する振動が検出されたタイミングで、履歴情報に釣果対応時刻を対応付けるようにしてよい。
【００５２】
なお、上述のユーザ端末２００としての機能を実現するためのプログラムをコンピュータ読み取り可能な記録媒体に記録して、この記録媒体に記録されたプログラムをコンピュータシステムに読み込ませ、実行することにより上述のユーザ端末２００としての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【００５３】
１００  スピニングリール、１０１  ハンドル、１０２  スプール、１１０  センサユニット、１１１  センサ部、１１２  通信部、２００  ユーザ端末、２０１  通信部、２０２  制御部、２０３  記憶部、２０４  操作部、２０５  表示部、２０６  音出力部、２２１  ハンドル角速度測定部、２２２  基準角速度算出部、２２３  誤差算出部、２２４  報知部
【図１】
2020058248.tif 000003
【図２】
2020058248.tif 000004
【図３】
2020058248.tif 000005
【図４】
2020058248.tif 000006
【図５】
2020058248.tif 000007
【図６】
2020058248.tif 000008